(57)【要約】【課題】  従来より少ない炭酸ガスの使用量で、缶内酸素の置換効率を上昇させる容器内のガス置換方法および容器内への飲料の充填方法を提供する。【解決手段】  ノンシールガッシング(non-seal gassing)工程と、シールガッシング(seal gassing)工程と、を有してなる容器内のガス置換方法であって、ノンシールガッシング工程における、ノンシール間隙と、置換ガスを噴出させるガッシング（gassing）時間の関係は、２．０ｍｍ〜７．０ｍｍのノンシール間隙の範囲におけるガッシング（gassing）時間が少なくとも５０ｍｓｅｃ以上となるように設定される。【選択図】  図１
2005313928.tif 000002
【特許請求の範囲】
【請求項１】
容器の開口部にセンタリングベルを被せるように近接配置させた状態で、センタリングベル内の略中央に配置されたベントチューブの先端から置換ガスを噴出させ、容器の開口部の先端とこの先端に向かい合うセンタリングベル内部周縁のシール部材との間隙（ノンシール間隙）を通して容器内に貯留していた空気を溢出させ容器内の酸素濃度を低下させるとともに、容器内を置換ガスで置換してなるノンシールガッシング(non-seal gassing)工程と、
容器の開口部にセンタリングベルを被着させて容器の開口部の先端とこの先端に向かい合うセンタリングベル内部周縁のシール部材とを密着させるとともに、センタリングベル側に配置されたのガス抜き口を介して容器内のガスが逃げる路（ガス抜き通路）を確保するとともに、ベントチューブの先端から容器内部に向けて置換ガスを噴出させ、さらに容器内の酸素濃度を低下せしめるシールガッシング(seal gassing)工程と、を有してなる容器内のガス置換方法であって、
前記ノンシールガッシング工程における、前記ノンシール間隙と、前記置換ガスを噴出させるガッシング（gassing）時間の関係は、２．０ｍｍ〜７．０ｍｍのノンシール間隙の範囲におけるガッシング（gassing）時間が少なくとも５０ｍｓｅｃ以上となるように設定されてなることを特徴とする容器内のガス置換方法。
【請求項２】
前記ノンシールガッシング工程における、置換ガスの噴出圧力は、０．１５〜０．２５ＭＰａである請求項１に記載の容器内のガス置換方法。
【請求項３】
２．０ｍｍ〜７．０ｍｍのノンシール間隙の範囲におけるガッシング（gassing）時間は、５０〜３５０ｍｓｅｃである請求項１または請求項２に記載の容器内のガス置換方法。
【請求項４】
置換ガスを噴出させる際のベントチューブの先端位置が、容器の開口部の先端位置を基準として、−１５ｍｍ〜＋１５ｍｍの範囲（±０の位置が基準位置であり、−側が容器の開口部の外側であり、＋側が容器の開口部の内側）に存在してなる請求項１ないし請求項３のいずれかに記載のガス置換方法。
【請求項５】
容器内の容量が、１３５〜１０００ｍＬである請求項１ないし請求項４のいずれかに記載のガス置換方法。
【請求項６】
前記置換ガスを噴出させるベントチューブの先端位置におけるノズル内径が４〜１０ｍｍφである請求項１ないし請求項５のいずれかに記載のガス置換方法。
【請求項７】
前記ノンシールガッシング工程に連続してシールガッシング(seal gassing)工程が行われ、置換ガスの噴出は、両工程に跨り同じ噴出圧力で連続的に行なわれており、容器内の残存酸素濃度が目的値に達成した時点でシールガッシング(seal gassing)工程における置換ガスの噴出が停止されるように設定されてなる請求項１ないし請求項５のいずれかに記載の容器内のガス置換方法。
【請求項８】
置換ガスが不活性ガスであり、容器が筒状容器である請求項１ないし請求項７のいずれかに記載のガス置換方法。
【請求項９】
前記ノンシールガッシング工程における、前記ノンシール間隙の設定と、前記ノンシールの状態を維持する時間設定はカム機構により制御されてなる請求項１ないし請求項８のいずれかに記載の容器内のガス置換方法。
【請求項１０】
フラッシング工程、カウンター工程、飲料充填工程を有する容器内への飲料の充填方法であって、
前記フラッシング工程は、容器内に置換ガスを流入させて容器内を置換ガスで置換させるとともに、容器内に貯留していた初期貯留ガスを排出してなる操作であり、当該フラッシング工程は、ノンシールガッシング(non-seal gassing)工程とシールガッシング(seal gassing)工程を有し、
前記ノンシールガッシング(non-seal gassing)工程は、容器の開口部にセンタリングベルを被せるように近接配置させた状態で、センタリングベル内の略中央に配置されたベントチューブの先端から置換ガスを噴出させ、容器の開口部の先端とこの先端に向かい合うセンタリングベル内部周縁のシール部材との間隙（ノンシール間隙）を通して容器内に貯留していた空気を溢出させ容器内の酸素濃度を低下させるとともに、容器内を置換ガスで置換してなる工程であり、
前記シールガッシング(seal gassing)工程は、容器の開口部にセンタリングベルを被着させて容器の開口部の先端とこの先端に向かい合うセンタリングベル内部周縁のシール部材とを密着させるとともに、センタリングベル側に配置されたのガス抜き口を介して容器内のガスが逃げる路（ガス抜き通路）を確保するとともに、ベントチューブの先端から容器内部に向けて置換ガスを噴出させ、さらに容器内の酸素濃度を低下せしめる工程であり、
前記ノンシールガッシング工程における、前記ノンシール間隙と、前記置換ガスを噴出させるガッシング（gassing）時間の関係は、２．０ｍｍ〜７．０ｍｍのノンシール間隙の範囲におけるガッシング（gassing）時間が少なくとも５０ｍｓｅｃ以上となるように設定されてなり、
しかる後、置換ガスで置換された容器内圧力と飲料が貯留されているフィラーチャンバーからの圧力を同圧とするカウンター工程を経て、とともに、容器内に充填していた置換ガスを飲料と置換して容器内に飲料を充填させる飲料充填工程が行われてなることを特徴とする容器内への飲料の充填方法。
【請求項１１】
前記飲料充填工程の後に、容器ヘッドスペースに残存する置換ガスの一部をスニフトラインから排出させて容器ヘッドスペース圧力を大気圧と同圧にするスニフト工程が行なわれてなる請求項１０に記載の容器内への飲料の充填方法。
【請求項１２】
前記ノンシールガッシング工程における、置換ガスの噴出圧力は、０．１５〜０．２５ＭＰａである請求項１０または請求項１１に記載の容器内への飲料の充填方法。
【請求項１３】
２．０ｍｍ〜７．０ｍｍのノンシール間隙の範囲におけるガッシング（gassing）時間は、５０〜３５０ｍｓｅｃである請求項１０ないし請求項１２のいずれかに記載の容器内への飲料の充填方法。
【請求項１４】
置換ガスを噴出させる際のベントチューブの先端位置が、容器の開口部の先端位置を基準として、−１５ｍｍ〜＋１５ｍｍの範囲（±０の位置が基準位置であり、−側が容器の開口部の外側であり、＋側が容器の開口部の内側）に存在してなる請求項１０ないし請求項１３のいずれかに記載の容器内への飲料の充填方法。
【請求項１５】
容器内の容量が、１３５〜１０００ｍＬである請求項１０ないし請求項１４のいずれかに記載の容器内への飲料の充填方法。
【請求項１６】
前記置換ガスを噴出させるベントチューブの先端位置におけるノズル内径が４〜１０ｍｍφである請求項１０ないし請求項１５のいずれかに記載の容器内への飲料の充填方法。
【請求項１７】
前記ノンシールガッシング工程に連続してシールガッシング(seal gassing)工程が行われ、置換ガスの噴出は、両工程に跨り同じ噴出圧力で連続的に行なわれており、容器内の残存酸素濃度が目的値に達成した時点でシールガッシング(seal gassing)工程における置換ガスの噴出が停止されるように設定されてなる請求項１０ないし請求項１６のいずれかに記載の容器内への飲料の充填方法。
【請求項１８】
置換ガスが不活性ガスであり、容器が筒状容器である請求項１０ないし請求項１７のいずれかに記載の容器内への飲料の充填方法。
【請求項１９】
前記ノンシールガッシング工程における、前記ノンシール間隙の設定と、前記ノンシールの状態を維持する時間設定はカム機構により制御されてなる請求項１０ないし請求項１８のいずれかに記載の容器内への飲料の充填方法。
【発明の詳細な説明】
【技術分野】
【０００１】
容器内へ飲料を充填するフィリング操作において、飲料充填前の容器内部に存在している空気（酸素）を、少ない置換ガス使用量でかつ迅速に、置換ガス（例えば、二酸化炭素ガス）に置換して、製品内部に残存する酸素量を効率的に低減させる技術に関する。
【背景技術】
【０００２】
例えば、ビールや発泡酒（以下、発泡酒も含めて単に「ビール等飲料」という）の缶容器への缶フィラーのフィリング（充填）工程においては、ビール等飲料を充填する前に、品質劣化（酸化臭）の原因の一つである缶容器内の空気（主として、酸素）を除去するとともに、缶容器内を二酸化炭素ガスに置換させる必要がある。
【０００３】
このようなガス置換の好適な一手法として、従来より特開平３−１７６３９８号公報に開示されているようないわゆるノンシールガッシング(non-seal gassing)と、シールガッシング(seal gassing)の２つの方法を組み合わせて、飲料充填操作前の缶容器内の酸素をニ酸化炭素ガスに効率良く置換させる方法が知られている。
【０００４】
ノンシールガッシングは最初に存在している空気を短時間にニ酸化炭素ガスに置換させるのに適しているが、その方法のみでは酸素濃度を極めて低い濃度まで低下させるには限界がある。
【０００５】
この欠点を補うために、シールガッシングが連続して行われる。このものは、最初の段階からその方法を採ると置換効率が極めて悪い手法であるが、後工程で酸素濃度をより低下させるには極めて有効な手法である。
【０００６】
一般に、ノンシールガッシング工程での缶容器の開口部といわゆるフィラーバルブの間隔はカムによって制御されている。現行のカムは単純な２次曲線であり、フィラー給缶から缶口をシールするまで、単に徐々に狭まっていくだけの設計で十分であると認識されており、ノンシールガッシング条件については特別な配慮が払われていなかった。
【０００７】
近年、より一層の味覚品質の保持や製品保存性の向上のために容器内に残存する酸素量の低減化、および製造コストの削減のために置換ガスの使用量の削減化が求められている。しかしながら、容器内に残存する酸素量の低減化を図るには、一般に、置換ガスの使用量を多くすれば多くするほど有利になり、残存する酸素量の低減化と置換ガスの使用量の削減化とは相反する事項として認識されていた。
【０００８】
【特許文献１】特開平３−１７６３９８号公報
【特許文献２】特開昭５９−２２１２８５号公報
【特許文献３】特開昭６４−０３７３９８号公報
【特許文献４】特開平０６−３４５１９２号公報
【発明の開示】
【発明が解決しようとする課題】
【０００９】
このような実状のもと、ノンシールガッシング条件およびシールガッシング条件（特に、ノンシールガッシング条件）のそれぞれの空き缶容器内の置換現象を把握し、容器内に残存する酸素量の低減化、および製造コストの削減のために置換ガスの使用量の削減化が図れる容器内のガス置換方法および容器内への飲料の充填方法を提供することにある。
【課題を解決するための手段】
【００１０】
このような課題を解決するために本発明は、容器の開口部にセンタリングベルを被せるように近接配置させた状態で、センタリングベル内の略中央に配置されたベントチューブの先端から置換ガスを噴出させ、容器の開口部の先端とこの先端に向かい合うセンタリングベル内部周縁のシール部材との間隙（ノンシール間隙）を通して容器内に貯留していた空気を溢出させ容器内の酸素濃度を低下させるとともに、容器内を置換ガスで置換してなるノンシールガッシング(non-seal gassing)工程と、容器の開口部にセンタリングベルを被着させて容器の開口部の先端とこの先端に向かい合うセンタリングベル内部周縁のシール部材とを密着させるとともに、センタリングベル側に配置されたのガス抜き口を介して容器内のガスが逃げる路（ガス抜き通路）を確保するとともに、ベントチューブの先端から容器内部に向けて置換ガスを噴出させ、さらに容器内の酸素濃度を低下せしめるシールガッシング(seal gassing)工程と、を有してなる容器内のガス置換方法であって、前記ノンシールガッシング工程における、前記ノンシール間隙と、前記置換ガスを噴出させるガッシング（gassing）時間の関係は、２．０ｍｍ〜７．０ｍｍのノンシール間隙の範囲におけるガッシング（gassing）時間が少なくとも５０ｍｓｅｃ以上となるように構成される。
【００１１】
また、本発明の好ましい態様として、前記ノンシールガッシング工程における、置換ガスの噴出圧力は、０．１５〜０．２５ＭＰａの範囲に設定される。
【００１２】
また、本発明の好ましい態様として、２．０ｍｍ〜７．０ｍｍのノンシール間隙の範囲におけるガッシング（gassing）時間は、５０〜３５０ｍｓｅｃの範囲に設定される。
【００１３】
また、本発明の好ましい態様として、置換ガスを噴出させる際のベントチューブの先端位置が、容器の開口部の先端位置を基準として、−１５ｍｍ〜＋１５ｍｍの範囲（±０の位置が基準位置であり、−側が容器の開口部の外側であり、＋側が容器の開口部の内側）に存在してなるように構成される。
【００１４】
また、本発明の好ましい態様として、容器内の容量は、１３５〜１０００ｍＬの範囲に設定される。
【００１５】
また、本発明の好ましい態様として、前記置換ガスを噴出させるベントチューブの先端位置におけるノズル内径が４〜１０ｍｍφとなるように構成される。
【００１６】
また、本発明の好ましい態様として、前記ノンシールガッシング工程に連続してシールガッシング(seal gassing)工程が行われ、置換ガスの噴出は、両工程に跨り同じ噴出圧力で連続的に行なわれており、容器内の残存酸素濃度が目的値に達成した時点でシールガッシング(seal gassing)工程における置換ガスの噴出が停止されるように構成される。
【００１７】
また、本発明の好ましい態様として、置換ガスが不活性ガスであり、容器が筒状容器であるように構成される。
【００１８】
また、本発明の好ましい態様として、前記ノンシールガッシング工程における、前記ノンシール間隙の設定と、前記ノンシールの状態を維持する時間設定はカム機構により制御されてなるように構成される。
【００１９】
本発明は、フラッシング工程、カウンター工程、飲料充填工程を有する容器内への飲料の充填方法であって、前記フラッシング工程は、容器内に置換ガスを流入させて容器内を置換ガスで置換させるとともに、容器内に貯留していた初期貯留ガスを排出してなる操作であり、当該フラッシング工程は、ノンシールガッシング(non-seal gassing)工程とシールガッシング(seal gassing)工程を有し、前記ノンシールガッシング(non-seal gassing)工程は、容器の開口部にセンタリングベルを被せるように近接配置させた状態で、センタリングベル内の略中央に配置されたベントチューブの先端から置換ガスを噴出させ、容器の開口部の先端とこの先端に向かい合うセンタリングベル内部周縁のシール部材との間隙（ノンシール間隙）を通して容器内に貯留していた空気を溢出させ容器内の酸素濃度を低下させるとともに、容器内を置換ガスで置換してなる工程であり、前記シールガッシング(seal gassing)工程は、容器の開口部にセンタリングベルを被着させて容器の開口部の先端とこの先端に向かい合うセンタリングベル内部周縁のシール部材とを密着させるとともに、センタリングベル側に配置されたのガス抜き口を介して容器内のガスが逃げる路（ガス抜き通路）を確保するとともに、ベントチューブの先端から容器内部に向けて置換ガスを噴出させ、さらに容器内の酸素濃度を低下せしめる工程であり、前記ノンシールガッシング工程における、前記ノンシール間隙と、前記置換ガスを噴出させるガッシング（gassing）時間の関係は、２．０ｍｍ〜７．０ｍｍのノンシール間隙の範囲におけるガッシング（gassing）時間が少なくとも５０ｍｓｅｃ以上となるように設定されてなり、しかる後、置換ガスで置換された容器内圧力と飲料が貯留されているフィラーチャンバーからの圧力を同圧とするカウンター工程を経て、とともに、容器内に充填していた置換ガスを飲料と置換して容器内に飲料を充填させる飲料充填工程が行われてなるように構成される。
【００２０】
また、本発明の好ましい態様として、前記飲料充填工程の後に、容器ヘッドスペースに残存する置換ガスの一部をスニフトラインから排出させて容器ヘッドスペース圧力を大気圧と同圧にするスニフト工程が行なわれてなるように構成される。
【発明の効果】
【００２１】
本発明の容器内のガス置換方法は、ノンシールガッシング工程における、ノンシール間隙と、前記置換ガスを噴出させるガッシング（gassing）時間を所定の範囲内に定めているので、飲料充填前の容器内部に存在している空気（酸素）を、少ない置換ガス使用量でかつ迅速に、置換ガス（例えば、二酸化炭素ガス）に置換して、製品内部に残存する酸素量を効率的に低減させることができる。
【発明を実施するための最良の形態】
【００２２】
以下、本発明の容器内のガス置換方法および容器内への飲料の充填方法の最良の形態を、「ビール等飲料」の充填工程を例に取って詳細に説明する。
【００２３】
「ビール等飲料」の充填に際して用いられるロータリー充填装置は、すでにビール等飲料の製造工程等における充填装置としてすでに周知となっており、回転駆動される水平回転部材の水平円周上に、等ピッチに配置された複数の充填用バルブユニットを備える構造を有している。そして、ロータリー充填装置の回動とともに複数の充填用バルブユニットを介して容器内への飲料の充填操作が行なわれるようになっている。
【００２４】
「ビール等飲料」の充填操作が行われる前に、本発明の容器内のガス置換方法が実施されるわけであるが、その操作が理解し易いように、まず最初に充填用バルブユニットの好適な２つのタイプについて説明する。
【００２５】
Ａ．（充填用バルブユニットの構成（タイプ１））
充填用バルブユニットの好適なタイプの一つの構成を図１〜図５に基づいて説明する。
【００２６】
図１〜図５はそれぞれ、充填用バルブユニット１の構造および充填工程における操作を説明するための概略模式図であり、特に図１は構造を分かりやすく説明するために、断面部分をハッチで明瞭に表示してあるが、図２〜図５は、特に、配管やユニット内部を流通する流体の流れを表示することを主目的としており、断面ハッチの記載は省略してある。
【００２７】
充填用バルブユニット１は、量産ラインのロータリー充填装置に着脱（装着・分離）可能になっている。着脱面は図１に示されるＡ−Ａラインの箇所である。
【００２８】
ロータリー充填装置からの充填機能を発揮するために接続される主液ライン７０、カウンターライン３１、スニフトライン１１１、フラッシングリターンライン１０１との接続が図１に示されるＡ−Ａラインの同一面の箇所で行なわれる。そのため、充填用バルブユニット１はＡ−Ａラインの同一面の箇所で接続口となる主液ライン接続口７１ａ、カウンターライン接続口３２ａ、スニフトライン接続口１１２ａ、フラッシングリターンライン接続口１０２ａを備えている。なお、図１における符号２０は管連結ユニットを示している。
【００２９】
このような接続によって充填用バルブユニット１は、フラッシング操作、カウンター操作、飲料充填操作、スニフト操作ができるようになっている。
【００３０】
これらの各操作は充填用バルブユニットの構造を特定する一つの要素になるものであり、各操作については後述する。
【００３１】
前記充填用バルブユニット１は、図１に示されるように下方を開放し得るバルブ筐体８０と、このバルブ筐体８０の内部の軸方向に沿って装着されるバルブ軸体９０とを備えている。そして、バルブ筐体８０の下部内周面には内側に突出したリング状の弁座８２が形成され、この一方で、前記バルブ軸体９０の下部外周部には、上記弁座８２とシール弁を構成すべき弁体部９２が形成されている。
【００３２】
バルブ軸体９０の上部は液弁開閉用のエアーシリンダー８に連結されており、この液弁開閉用のエアーシリンダー８のストローク駆動により、バルブ軸体９０は軸方向に上下動できるようになっている。この上下運動に伴い、弁座８２と弁体部９２の離接による弁の開閉ができるようになっており、例えば、弁が「開」の状態で容器２内にビールが充填される（後述する図４の状態）。
【００３３】
また、前記バルブ軸体９０の内部軸方向にはカウンタ孔９４が形成されている。このカウンタ孔９４の上部には横孔９４ａが形成されており、この横孔９４ａを介してバルブ筐体８０に内に形成された配管３４、エアーオペレーションバルブユニット１００内に形成されたカウンター弁配管３３（カウンター弁３５を備えている）、バルブ筐体８０に内に形成された配管３２をそれぞれ介してカウンター管３１に連通されるようになっている。
【００３４】
カウンター管３１は、図示していない液タンクであるフィラーチャンバーの上部加圧用空間部と連通している。そして、主液ライン７０から容器内にビールを充填する際（図４の液弁が開の状態）、ビールと置換される容器内の気体がカウンター孔９４を介してフィラーチャンバーに戻される。つまり、カウンター孔９４は、ビール供給のための加圧源であるフィラーチャンバーの上部空間と連通することができるようになっている。
【００３５】
前記バルブ筐体８０の下部の肉厚内には、気体抜き空間８９が所定の高さまで肉厚内にリング状に形成されている。この気体抜き空間８９は、容器２内の気体を放出するために最終的にフラッシングリターン管１０１およびスニフト管１１１にそれぞれ連通可能となっている。すなわち、フラッシングリターン管１０１との連結については、バルブ筐体８０内に形成された配管１０２、エアーオペレーションバルブユニット１００内に形成されたフラッシングリターン弁配管１０３（フラッシングリターン弁１０５を備えている）を介してフラッシングリターン管１０１に連通されている。同様に、スニフト管１１１との連結については、バルブ筐体８０に内に形成された配管１１２、エアーオペレーションバルブユニット１００内に形成されたスニフト弁配管１１３（スニフト弁１１５を備えている）を介してスニフト管１０１に連通されている。
【００３６】
また、充填用バルブユニット１の上部には、飲料を充填する際に充填ヘッド部（センタリングベル）４０を容器口に当接させるためのカム機構の一部であるカムフォロアー４８が形成されている。このカムフォロアー４８を介して充填用バルブユニット１は、図示していない所定形状に設計されたカム板に案内されながら上下動できるようになっている。この上下運動に伴い、容器２の容器口（開口部）と充填ヘッド部４０との離接ができるようになっている。実際に容器口と接する充填ヘッド部４０の下端部分にはリング状のシール部材４１が形成されている。
【００３７】
なお、充填用バルブユニット１を量産ラインのロータリー充填装置から外してカムフォロアー４８へのカム機構伝達が出来なくなった場合であっても、充填用バルブユニット１そのものの上下動が可能なように、充填用バルブユニット１の上部に容器口シール開閉用エアーシリンダー４が設置されている。この容器口シール開閉用エアーシリンダー４は、通常、充填用バルブユニット１を外してこのものを単体で洗浄するために用いられる。
【００３８】
このような充填用バルブユニット１は、上述したように本生産のロータリー充填装置に組み込まれて実際に充填操作される際に、フラッシング操作、カウンター操作、飲料充填操作、スニフト操作ができるようになっている。これらの各操作について以下説明する。
【００３９】
（１）フラッシング操作
フラッシング工程は、カウンターラインから容器内に置換ガスを流入させて容器内を置換ガスで置換させるとともに、容器内に貯留していた初期貯留ガス（空気、中でも酸素の除去を主目的とする）をフラッシングリターンラインから排出してなる操作である。
【００４０】
このフラッシング工程は、ノンシールガッシング(non-seal gassing)工程とシールガッシング(seal gassing)工程を有して構成されている。以下、個別に説明する。
【００４１】
（ｉ）ノンシールガッシング工程
ノンシールガッシング工程は、容器の開口部（容器口）にセンタリングベル４０（充填ヘッド部４０）を被せるように近接配置させた状態で、センタリングベル４０内の略中央に配置されたベントチューブ（カウンタ孔９４を備えるバルブ軸体９０）の先端９４ａから置換ガスを噴出させ、容器の開口部の先端２ａとこの先端２ａに向かい合うセンタリングベル内部周縁のシール部材４１との間隙ｇ（ノンシール間隙ｇ）を通して容器内に貯留していた空気を溢出させ容器内の酸素濃度を低下させるとともに、容器内を置換ガスで置換させる工程である。
【００４２】
より具体的な操作を図１に基づいて説明すると、図１に示されるごとく容器（ビールの場合、通常、缶容器）の供給が行なわれる。この時、容器開口部とユニットのセンタリングベル４０（充填ヘッド部４０）との密閉はされておらず一定の距離（ノンシール間隙ｇ）が空けられている。この時、一般にはカウンター弁３５を「開」にして、カウンター管３１からニ酸化炭素ガス（ＣＯ2）を供給して、ユニット中央のベントチューブ（カウンタ孔９４を備えるバルブ軸体９０）の先端９４ａから二酸化炭素ガスを容器内に流入させるいわゆるノンシールガッシングが行なわれる。
【００４３】
このようなノンシールガッシング工程においては、ノンシール間隙ｇの設定およびその所定の間隔を維持させる時間Ｔｇの設定が、本願発明の効果を発現させるのに特に重要である。
【００４４】
すなわち、本発明におけるノンシール間隙ｇと、その間隙ｇの間に置換ガスを噴出させるガッシング（gassing）時間Ｔｇの関係は、２．０ｍｍ〜７．０ｍｍのノンシール間隙ｇの範囲におけるガッシング（gassing）時間Ｔｇが少なくとも５０ｍｓｅｃ以上、特に５０〜３５０ｍｓｅｃ、さらには１００〜３５０ｍｓｅｃに設定される。参考までに、本発明提案前の従来技術における２．０ｍｍ〜７．０ｍｍのノンシール間隙ｇの範囲におけるガッシング（gassing）時間Ｔｇは４０ｍｓｅｃ程度であった。
【００４５】
ノンシール間隙ｇを仕様設定し、その仕様の通りに駆動させるには、カム機構を使用することが好ましい。カム機構とノンシール間隙ｇの関係を示す説明は、充填用バルブユニットの好適な２つのタイプを説明した後に、さらに別途詳述することとする。なお、カム機構以外にエアー駆動も作動制御のみ信頼性を高くすれば勿論可能である。
【００４６】
ノンシールガッシング工程における、置換ガスの好ましい使用態様である二酸化炭素ガスの噴出圧力は、０．１５〜０．２５ＭＰａ、より好ましくは、０．１８〜０．２２ＭＰａである。ビール等飲料の充填工程で使用される二酸化炭素の置換ガスの噴出圧力は、上記の範囲が好適範囲（常用圧力）とされており、この置換ガスの噴出圧力が０．１５ＭＰａ未満となると、十分な置換能力が生じなくなってしまうという不都合が生じる傾向がある。
【００４７】
この一方で、置換ガスの噴出圧力が０．２５ＭＰａを超えると、ガス置換現象がいわゆるプラグフロー（押し出し流れ）の領域を外れて、完全混合となってしまうために、ノンシールガッシングが目的とする初期の効率の良い本来のガス置換操作が出来なくなってしまうという不都合が生じる傾向がある。
【００４８】
また、ノンシールガッシング工程における、置換ガスを噴出させる際のベントチューブの先端位置９４ａは、容器の開口部２ａの先端位置を基準として、−１５ｍｍ〜＋１５ｍｍの範囲とされる。±０の位置が容器の開口部の先端位置（基準位置）であり、−側が容器の開口部の外側であり、＋側が容器の開口部の内側を意味している。上記の範囲を定めたのは実機のセッティングの状況と本願発明の効果の発現を配慮したためである。
【００４９】
置換ガスを噴出させるベントチューブの先端位置９４ａにおけるノズル内径は、一般的に使用される範囲のものであり、４〜１０ｍｍφ、好ましくは、６〜８ｍｍφとされる。
【００５０】
また、本発明の容器内のガス置換方法および容器内への飲料の充填方法において使用される容器内の容量は、１３５〜１０００ｍＬ、好ましくは、３５０〜５００ｍＬとされる。しかも、その容器形状は、缶容器等の筒状容器形状を対象とすることが望ましい。
【００５１】
このようなノンシールガッシング工程に引き続いてシールガッシング工程が行われる。これらの工程間の移行は出来るだけ迅速に行うことが望ましい。その理由として、ノンシールガッシング工程のノンシール間隙ｇが２．０から零に徐々に近づく間は、いわゆる遷移域とでも呼ぶことのできる領域であり、上述してきたような本発明らが見出したノンシールガッシング工程本来の効果も発現しないし、後述するシールガッシング工程の効果が十分に発現できないからである。
【００５２】
なお、図１２には、ノンシール間隙ｇをパラメータとしたガッシング時間と容器内の酸素濃度との関係を示す実験結果グラフが示してある。この実験データによれば、置換効率が最大となるノンシール間隙ｇは２．０ｍｍであり、これよりも間隙が狭くなると（例えば、ｇ＝０．５ｍｍ）、逆に効率が格段と悪くなってしまうことがわかる。グラフの降下直線部分を見ると効率の良い範囲は、ｇ＝２．０〜７．０の範囲といえる。
【００５３】
参考までに、次工程で行なわれるシールガッシング時間と容器内の酸素濃度との関係が図１３に示される。
【００５４】
（ii）シールガッシング工程
シールガッシング(seal gassing)工程は、容器の開口部（容器口）にセンタリングベル４０（充填ヘッド部４０）を被着させて容器２の開口部の先端２ａとこの先端２ａに向かい合うセンタリングベル内部周縁のシール部材４１とを密着させるとともに、センタリングベル側に配置されたのガス抜き口を介して容器内のガスが逃げる路（ガス抜き通路）を確保するとともに、ベントチューブの先端から容器内部に向けて置換ガスを噴出させ、さらに容器内の酸素濃度を低下させる工程である。
【００５５】
このシールガッシング工程は、前述のノンシールガッシング工程に連続して行われ、置換ガスの噴出は、通常、両工程に跨り同じ噴出圧力で連続的に行なわれており、容器内の残存酸素濃度が目的値に達成した時点でシールガッシング工程における置換ガスの噴出が停止されるように設定される（換言すれば、容器内の残存酸素濃度が目的値に達成できるようにシールガッシング工程における置換ガスの噴出時間が設定される）。
【００５６】
シールガッシングの時間は、通常、１３０ｍｓｅｃ以内の範囲にあり、この時間は、上記ノンシールガッシング工程における置換効率の向上のために、より短縮することが可能となっている。参考までに、本発明提案前の従来技術におけるシールガッシングの時間は、２００〜３５０ｍｓｅｃの範囲であった。
【００５７】
より具体的なシールガッシング工程操作を図２に基づいて説明すると、図２に示されるようにフラッシングリターン弁１０５が「開」とされるとともに、ノンシールガッシング工程から引き続き行われるカムフォロアー４８を含むカム機構の作動により、容器の開口部（容器口）とユニットのセンタリングベル４０（充填ヘッド部４０）との密閉がなされ、シールガッシング操作の開始となる。
【００５８】
すなわち、シールガッシング操作は、カウンターライン３１から容器２内に二酸化炭素ガス等の置換ガスを流入させて容器内を置換ガスで置換させるとともに、容器内に残留していた空気等の貯留ガスをフラッシングリターンライン１０１から排出してなる操作である。流体の流れの詳細は図中の矢印→の動きを参照されたい。
【００５９】
（２）カウンター操作
次いで行われるカウンター操作は、フラッシングリターン弁１０５を「開」とすることで、二酸化炭素ガス等の置換ガスで置換された容器内圧力とカウンターライン３１からの圧力（飲料が貯留されているフィラーチャンバーからの圧力）を同圧とするまでの操作であり、略同圧となった時点、すなわち容器内の空気が完全に二酸化炭素ガス等置換が終了した時点で完了する。流体の流れの詳細は図中の矢印→の動きを参照されたい。
【００６０】
（３）飲料充填操作
次いで行われる飲料充填操作は、図４に示されるように主液ライン７０からビール飲料を充填させるとともに、容器内に充填されていた大部分の置換ガス（二酸化炭素ガス）をビール飲料と置換するとともに置換ガス（二酸化炭素ガス）をカウンターライン３１からフィラーチャンバー（図示していない）に戻す操作である。
【００６１】
すなわち、主液ライン７０からビール飲料を充填させるために、液弁開閉用のエアーシリンダー８が上方にストローク駆動して、これにより弁座８２と弁体部９２とは離れて、液弁は「開」の状態となり容器２内にビールが充填される。所定の充填量を充填した時点で、液弁開閉用のエアーシリンダー８が下方にストローク駆動して、これにより弁座８２と弁体部９２とは接合されて、液弁は「閉」の状態となり充填が完了する。充填量は、通常、タービンメーター７５により計量されている。
【００６２】
なお、充填後にホールド時間があり、この時点でカウンター弁３５は「閉」とされる。流体の流れの詳細は図中の矢印→の動きを参照されたい。
【００６３】
（４）スニフト操作
次いで行われるスニフト操作は、容器ヘッドスペースに残存する置換ガス（二酸化炭素ガス）の一部をスニフトライン１１１から排出させて容器内ヘッドスペースの圧力を大気圧と同圧にする操作である。すなわち、スニフト弁１１５は「開」とされ、容器内ヘッドスペースの圧力が大気圧と同圧になるようにスニフトライン１１１から置換ガス（二酸化炭素ガス）の一部を逃がす操作が行われる。流体の流れの詳細は図中の矢印→の動きを参照されたい。
【００６４】
このような一連の充填工程が完了した後の例えば缶容器は、次工程で缶蓋の取り付け、缶蓋の巻き締め等の操作が行なわれる。
【００６５】
なお、エアーオペレーションバルブユニット１００に配置されているカウンター弁３５、フラッシングリターン弁１０５、スニフト弁１１５の各弁はダイヤフラム弁を有し構成されており、エアーオペレート（空圧操作）により弁の開閉が行なえるようになっている。
【００６６】
Ｂ．（充填用バルブユニットの構成（タイプ２））
充填用バルブユニット１´の他の構成例に基づく充填作用を図６〜図９に基づいて説明する。
【００６７】
図６〜図９はそれぞれ、充填用バルブユニット１´の構造および充填工程における操作を説明するための概略模式図である。
【００６８】
充填用バルブユニット１´は、すでに上述した充填用バルブユニット１とは構造が異なるものの、その基本的な動作は同じである。すなわち、充填用バルブユニット１´は、本生産のロータリー充填装置に組み込まれて実際に充填操作される際に、フラッシング操作、カウンター操作、飲料充填操作、スニフト操作ができるようになっている。これらの各操作について以下説明する。なお、充填用バルブユニット１´の要部構造は各操作の説明により理解できるものであるので、ここでの構造に関する詳細な説明は省略する。
【００６９】
（１）フラッシング操作
上述したようにフラッシング工程は、容器内に置換ガスを流入させて容器内を置換ガスで置換させるとともに、容器内に貯留していた初期貯留ガス（空気、中でも酸素の除去を主目的とする）を排出してなる操作である。
【００７０】
このフラッシング工程は、前述したようにノンシールガッシング(non-seal gassing)工程とシールガッシング(seal gassing)工程を有して構成されている。以下、個別に説明する。
【００７１】
（ｉ）ノンシールガッシング工程
まず、図６に示されるごとく容器（ビールの場合、通常、缶容器）の供給が行なわれる。この時、容器開口部とユニットのセンタリングベル４０（充填ヘッド部４０）との密閉はされておらず所定の間隔（ノンシール間隙ｇ）が空けられている。
【００７２】
この所定の間隔であるノンシール間隙ｇは、その変位量がカム機構（特に、カムの仕様）により変位位置（時間とともに移動する位置）に対して調整されるようになっている。すなわち、カムフォロアー２４９の高さ位置によって、支点２５０を支点として揺動する揺動アーム２６０に取り付けられているセンタリングベル２４０（充填ヘッド部２４０）の高さが調整されるようになっている。
【００７３】
そして、ノンシール間隙ｇが本願の所定のギャップ値となった時に、上部に設置してあるラッチ式の作動レバー２７０が作動する。
【００７４】
このラッチ式の作動レバー２７０が作動することにより、ベントチューブ２９０の上方内部に配置されているベントチューブ開閉弁２９１が上方に引っ張られて弁座２９５の部分でシールされていたベントチューブ内が「開」の状態となる。
【００７５】
すると、弁座２９５よりも上方に位置している図示しない通気孔を介してフィラーチャンバー３００内の圧力Ｐａで加圧されている二酸化炭素ガス雰囲気とベントチューブ２９０の内部が連通して、ベントチューブ２９０内部に二酸化炭素ガスが上方から下方に向けて流入し、流入した二酸化炭素ガスをベントチューブ２９０の先端２９０ａから噴出させるノンシールガッシングが所定時間行われる。
【００７６】
ノンシールガッシング条件については、上述した諸条件を満足させる必要があることは言うまでもない。
【００７７】
容器内部の空気は、センタリングベル２４０の内部のシール部材２４１と容器開口部の上端のスペース（ノンシール間隙ｇ）から強制的に流出されるとともに容器内部の大部分の空気は二酸化炭素に効率良く置換される。
【００７８】
（ｉｉ）シールガッシング
カムの形状に従ってカムフォロア２４９が降下するとともにセンタリングベル２４０（充填ヘッド部２４０）が降下して、図７に示されるごとく、容器開口部とユニットのセンタリングベル２４０との密閉が行われた状態で、かつセンタリングベル２４０側に配置されたガス抜き口２６１を介して容器内のガスが逃げる路（ガス抜き通路）２６０を確保するとともに、ベントチューブ２９０の先端２９０ａから容器内部に向けて置換ガスを噴出させ、さらに容器内の酸素濃度を低下させるシールガッシング工程が行われる。
【００７９】
すなわち、容器開口部とユニットのセンタリングベル２４０との密閉（密着）が行われるタイミングを計り、図示しないカムの作用によってガスバルブ３１０（図７）を「開」としてガス回収チャンバー２６５の通路を確保する。ベントチューブ２９０の先端２９０ａから容器内部に向けて置換ガスの噴出は継続して行われているから、容器内部はさらに二酸化炭素で置換されつつ、開口部の閉止した状態で継続的に供給される二酸化炭素ガス（わずかな酸素を含む）がガス回収チャンバー２６５を経て回収される。二酸化炭素ガス（回収ガス）の流れの詳細は図中の矢印→の動きを参照されたい。
【００８０】
なお、この時、タンク３００内の二酸化炭素ガス雰囲気の圧力は圧力Ｐａで加圧されており、この圧力Ｐａは、容器内の圧力Ｐａ´よりも大きくなっている。そして、飲料充填するためにリッキドバルブ３２０は、その上部に接続された引っ張りばね３３０により、上方への引っ張り力を受けるような構成となっているが、Ｐａ＞Ｐａ´の状態ではリッキドバルブ３２０位置における水頭圧の方が引っ張りばね３３０の力に打ち勝つようにバランス調整した設計がなされている。そのため、この時点での容器内での飲料の充填は始まっていない。
【００８１】
（２）カウンター操作
次いで行われるカウンター操作は、タンク３００内の二酸化炭素ガス雰囲気の圧力（圧力Ｐａ）と炭酸ガス等の置換ガスで置換された容器内圧力とを同圧とする操作である。すなわち容器内の空気が完全に炭酸ガス置換が終了した時点で図示しないカムの作用によりガスバルブ３１０が閉じられ、フィラーチャンバー内の圧力Ｐａ＝容器内の圧力Ｐａ´となる。
【００８２】
（３）飲料充填操作
図８に示されるようにＰａ＝Ｐａ´となった時点で、リキッドバルブ３２０が引っ張りばね３３０によって「開」の状態となる。すなわち、Ｐａ＝Ｐａ´となった時に引っ張りばね３３０の引っ張り力がリッキドバルブ３２０位置での液柱圧（水頭圧）に打ち勝つようにばね設計されている。
【００８３】
これにより飲料充填操作が始まり、容器の内壁面に沿って飲料が徐々に充填されていき、容器内に貯留していた二酸化炭素ガスは、ベントチューブ２９０内を通って上昇し、飲料液面の上方に存在する二酸化炭素雰囲気内に戻される。ベントチューブ２９０の先端付近まで飲料の充填が行われると、圧力バランスによりリキッドバルブ３２０は降下して閉じて「閉」の状態となり、飲料の充填作業は完了する。
【００８４】
（４）スニフト操作
次いで行われるスニフト操作は、容器ヘッドスペースに残存する置換ガス（二酸化炭素ガス）の一部をスニフトラインから排出させて容器内ヘッドスペースの圧力を大気圧と同圧にする操作である。すなわち、カム操作に連動して図９に示されるようにスニフトバルブ３１５が「開」とされるとともに、ラッチ式の作動レバー２７０の係止が外れてベントチューブ開閉弁２９１が下方に落下してベントチューブ２９０は「閉」の状態となり、フィラーチャンバー３００上部の二酸化炭素ガス雰囲気とベントチューブ２９０との連通は封止される。これにより容器ヘッドスペースに残存する置換ガス（二酸化炭素ガス）の一部はスニフトチャンバー３１８を介してスニフトライン３１９から排出されて容器内ヘッドスペースの圧力は大気圧と同圧となる。流体の流れの詳細は図９中の矢印→の動きを参照されたい。
【００８５】
ところで、本発明の主要部は前述したようにノンシールガッシング工程の設定にあるので、この工程における作用をカム機構動作と、容器に対するセンタリングベル２４０（充填ヘッド部２４０）の動作を図示しながら説明する。図１０は、ノンシールガッシングの所定の動作をさせるためのカム板４００とそのカム板４００の動作線上を走るカムフォロアー２４９との関係を示した図面であり、図１１（ａ）〜（ｃ）は、それぞれ、カムフォロアー２４９の位置変化に対して、容器に対するセンタリングベル２４０（充填ヘッド部２４０）の関係を経時的に示した図面である。なお、センタリングベル２４０の形状は、図６〜図９に示されるようなタイプ２の充填用バルブユニットのセンタリングベルの形状に近い形状としている。
【００８６】
図１０におけるカムフォロアー２４９が位置（ａ）に有る時
容器２はすでにロータリー充填装置に供給されており、図１１（ａ）に示されるように、容器２とこの容器と対をなすセンタリングベル２４０の組み合わせが完了している。図１１（ａ）はまさに、図１０に示される降下曲線Ｌ１に沿ってセンタリングベル２４０およびそれに伴うベントチューブ２９０を容器の開口部に接近させようとしている。
【００８７】
図１０におけるカムフォロアー２４９が位置（ｂ）に有る時
図１０に示される降下曲線Ｌ１に沿ってセンタリングベル２４０およびそれに伴うベントチューブ２９０が降下してきて、位置（ｂ）の箇所でノンシール間隙ｇ＝２．０ｍｍ〜７．０ｍｍの範囲内に入り込み、この範囲内の維持が実質的に位置（ｂ´）の箇所まで維持される。位置（ｂ）から位置（ｂ´）までの間は、実質的に水平の同じ高さを維持する状態とすることが望ましい。同じ高さを維持する場合には、ノンシール間隙ｇ＝２．０ｍｍ〜７．０ｍｍの範囲内での任意の所定の高さ（例えば、ｇ＝４．５ｍｍで一定）とすればよい。実質的であるから位置（ｂ）から位置（ｂ´）までの間でノンシール間隙ｇを７．０ｍｍから２．０ｍｍまでの範囲で漸減するようにしてもよい。位置（ｂ）の箇所から二酸化炭素ガスを噴出すガッシング操作を開始することが望ましい。
【００８８】
次いで、ノンシール間隙ｇは位置（ｂ´）から降下線Ｌ３に沿って急激に降下して位置（ｃ）に至り、ここでｇ＝０となり容器開口部はセンタリングベルで密封シールされる。
なお、わずかの時間であるが降下線Ｌ３に沿った一部の時間は、ノンシール間隙ｇ＝２．０ｍｍ〜７．０ｍｍの範囲内の時間となり得る。
【００８９】
図１０におけるカムフォロアー２４９が位置（ｃ）に有る時
この時点（位置（ｃ）に至った時点）でシールガッシング操作が開始される。位置（ｃ）から位置（ｄ）に至るまでシールガッシング操作が行われるが、この間、カムフォロアー２４９は降下線Ｌ４から外れる。容器開口部にセンタリングベルを被着させた状態となっているためにカムフォロアー２４９による操作は不要であるからである。
【００９０】
以上説明してきたような本願発明に基づいて、実機フィラーで缶ビールの製造を行った結果、本発明の方法を実施できる改良カム（「発明カム」と称す）を用いたものは従来のカムを用いた従来法に比べて、二酸化炭素ガスの使用量を３割程度削減しながら、缶製品の酸素量を３割程度低下させることに成功した。
【産業上の利用可能性】
【００９１】
本発明は、容器内へ飲料を充填するフィリング操作を有する飲料製品製造産業に利用できる。
【図面の簡単な説明】
【００９２】
【図１】図１は、充填用バルブユニットの構造および飲料充填工程における操作を説明するための概略模式図である。
【図２】図２は、充填用バルブユニットの構造および飲料充填工程における操作を説明するための概略模式図である。
【図３】図３は、充填用バルブユニットの構造および飲料充填工程における操作を説明するための概略模式図である。
【図４】図４は、充填用バルブユニットの構造および飲料充填工程における操作を説明するための概略模式図である。
【図５】図５は、充填用バルブユニットの構造および飲料充填工程における操作を説明するための概略模式図である。
【図６】図６は、他の充填用バルブユニットの構造および飲料充填工程における操作を説明するための概略模式図である。
【図７】図７は、他の充填用バルブユニットの構造および飲料充填工程における操作を説明するための概略模式図である。
【図８】図８は、他の充填用バルブユニットの構造および飲料充填工程における操作を説明するための概略模式図である。
【図９】図９は、他の充填用バルブユニットの構造および飲料充填工程における操作を説明するための概略模式図である。
【図１０】図１０は、ノンシールガッシングの所定の動作をさせるためのカム板とそのカム板の動作線上を走るカムフォロアーとの関係を示した図面である。
【図１１】図１１（ａ）〜（ｃ）は、それぞれ、カムフォロアーの位置変化に対して、容器に対するセンタリングベルの関係を経時的に示した図面である。
【図１２】図１２は、ノンシール間隙ｇをパラメータとしたガッシング時間と容器内の酸素濃度との関係を示す実験結果グラフである。
【図１３】図１３は、シールガッシング時間と容器内の酸素濃度との関係を示すグラフである。
【符号の説明】
【００９３】
１、１´…充填用バルブユニット
２…容器
４０，２４０…センタリングベル
ｇ…ノンシール間隙
【図１】
2005313928.tif 000003
【図２】
2005313928.tif 000004
【図３】
2005313928.tif 000005
【図４】
2005313928.tif 000006
【図５】
2005313928.tif 000007
【図６】
2005313928.tif 000008
【図７】
2005313928.tif 000009
【図８】
2005313928.tif 000010
【図９】
2005313928.tif 000011
【図１０】
2005313928.tif 000012
【図１１】
2005313928.tif 000013
【図１２】
2005313928.tif 000014
【図１３】
2005313928.tif 000015